【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】  伝送品質目標値に応じて伝送電力を制御するための電力制御アルゴリズムと、伝送要件に応じて前記伝送品質目標値を調整するための調整アルゴリズムとを使用して、移動無線通信システムのパフォーマンスを向上させるための方法であって、
前記伝送要件の変更が発生したとき、前記伝送品質目標値を予想される方式で調整するように、対応する変更を前記伝送品質目標値に適用することによって、前記調整アルゴリズムをバイパスすることを含んでいる方法。
【請求項２】  前記伝送要件の変更が発生したとき、前記伝送電力を予想される方式で制御するように、対応する変更を前記伝送電力に適用することをさらに含んでおり、予想される方式での前記制御が、前記電力制御アルゴリズムをバイパスすることに対応する、請求項１に記載の方法。
【請求項３】  伝送要件の前記変更が、非圧縮モードから圧縮モードヘの変更を含んでおり、前記対応する変更は、圧縮フレームの前に適用されるべき、前記伝送品質目標値の増加を含んでいる、請求項１または２に記載の方法。
【請求項４】  伝送要件の前記変更が、非圧縮モードから圧縮モードヘの変更を含んでおり、前記対応する変更は、圧縮フレームの伝送ギャップの後に適用されるべき、前記伝送品質目標値の増加を含んでいる、請求項１から３のいずれか一項に記載の方法。
【請求項５】  伝送要件の前記変更が、圧縮モードから非圧縮モードヘの変更を含んでおり、前記対応する変更は、圧縮フレームの後に適用されるべき、前記伝送品質目標値の低減を含んでいる、請求項１から４のいずれか一項に記載の方法。
【請求項６】  伝送要件の前記変更が、非圧縮モードから圧縮モードヘの変更を含んでおり、前記対応する変更は、圧縮フレームの後に続く１つまたは複数の回復フレームの間に適用されるべき、前記伝送品質目標値の増加を含んでいる、請求項１から５のいずれか一項に記載の方法。
【請求項７】  前記伝送品質が信号対妨害比で表される、請求項１から６のいずれか一項に記載の方法。
【請求項８】  前記移動無線通信システムがＣＤＭＡ型のものである、請求項１から７のいずれか一項に記載の方法。
【請求項９】  前記電力制御が、前記移動無線通信システムのアップリンク伝送方向で実行される、請求項１から８のいずれか一項に記載の方法。
【請求項１０】  前記電力制御が、前記移動無線通信システムのダウンリンク伝送方向で実行される、請求項１から９のいずれか一項に記載の方法。
【請求項１１】 少なくとも伝送エンティティおよび受信エンティティを含んでいる移動無線通信システムであって、前記エンティティが、伝送品質目標値に応じて伝送電力を制御するための電力制御アルゴリズムと、伝送要件に応じて前記伝送品質目標値を調整するための調整アルゴリズムとを実行するための手段と、前記エンティティの１つに設けられている、前記伝送要件の変更が発生したときに、前記伝送品質目標値を予想される方式で調整するように、対応する変更を前記伝送品質目標値に適用することによって前記調整アルゴリズムをバイパスするための手段とを含んでいる、移動無線通信システム。
【請求項１２】  前記伝送要件の変更が発生したときに、前記伝送電力を予想される方式で制御するように、対応する変更を前記伝送電力に適用するための手段が、前記エンティティの１つにさらに設けられており、予想される方式での前記制御が、前記電力制御アルゴリズムをバイパスすることに対応する、請求項１１に記載の移動無線通信システム。
【請求項１３】  前記対応する変更を決定し、かつ／または更新するための手段が、前記エンティティの第１のエンティティに設けられている、請求項１１または１２に記載の移動無線通信システム。
【請求項１４】  前記対応する変更を決定し、かつ／または更新するのに必要な前の値を前記第１のエンティティに通知するための手段が、前記エンティティの第２のエンティティに設けられている、請求項１３に記載の移動無線通信システム。
【請求項１５】  前記対応する変更を前記第１のエンティティに通知するための手段が、前記エンティティの第２のエンティティに設けられている、請求項１１から１４のいずれか一項に記載の移動無線通信システム。
【請求項１６】  前記伝送要件の変更の発生を前記第１のエンティティに通知するための手段が、前記エンティティの第２のエンティティに設けられている、請求項１１から１５のいずれか一項に記載の移動無線通信システム。
【請求項１７】  伝送要件の変更の発生の通知とともに、前記対応する変更を前記第１のエンティティに通知するための手段が、前記エンティティの第２のエンティティに設けられている、請求項１１から１６のいずれか一項に記載の移動無線通信システム。
【請求項１８】  前記対応する変更を記録するための手段が、２つの前記エンティティのうちのいずれか１つに設けられている、請求項１１から１７のいずれか一項に記載の移動無線通信システム。
【請求項１９】  ２つの前記エンティティのうちの１つが移動無線通信ネットワークエンティティである、請求項１１から１８のいずれか一項に記載の移動無線通信システム。
【請求項２０】  ２つの前記エンティティのうちの１つが移動局である、請求項１１から１９のいずれか一項に記載の移動無線通信システム。
【請求項２１】  伝送要件に応じて、電力制御アルゴリズムのために伝送品質目標値を調整するための調整アルゴリズムを実行するための手段と、
前記伝送要件の変更が発生したとき、前記伝送品質目標値を予想される方式で調整するように、対応する変更を前記伝送品質目標値に適用することによって、前記調整アルゴリズムをバイパスするための手段とを含んでいる、移動無線通信ネットワークエンティティ。
【請求項２２】 電力制御アルゴリズムを実行するための手段と、
前記伝送要件の変更が発生したとき、前記伝送電力を予想される方式で制御するように、対応する変更を前記伝送電力に適用する手段とをさらに含み、予想される方式での前記制御が、前記電力制御アルゴリズムをバイパスすることに対応する、請求項２１に記載の移動無線通信ネットワークエンティティ。
【請求項２３】 前記伝送要件の変更が、非圧縮モードから圧縮モードヘの変更を含んでおり、前記対応する変更は、圧縮フレームの前に適用されるべき、前記伝送品質目標値の増加を含んでいる、請求項２１また２２に記載の移動無線通信ネットワークエンティティ。
【請求項２４】 前記伝送要件の変更が、非圧縮モードから圧縮モードヘの変更を含んでおり、前記対応する変更は、圧縮フレームの伝送ギャップの後に適用されるべき、前記伝送品質目標値の増加を含んでいる、請求項２１から２３のいずれか一項に記載の移動無線通信ネットワークエンティティ。
【請求項２５】 前記伝送要件の変更が、圧縮モードから非圧縮モードヘの変更を含んでおり、前記対応する変更は、圧縮フレームの後に適用されるべき、前記伝送品質目標値の低減を含んでいる、請求項２１から２４のいずれか一項に記載の移動無線通信ネットワークエンティティ。
【請求項２６】 伝送要件の前記変更が、非圧縮モードから圧縮モードヘの変更を含んでおり、前記対応する変更は、圧縮フレームの後に続く１つまたは複数の回復フレームの間に適用されるべき、前記伝送品質目標値の増加を含んでいる、請求項２１から２５のいずれか一項に記載の移動無線通信ネットワークエンティティ。
【請求項２７】  伝送要件に応じて、電力制御アルゴリズムのために伝送品質目標値を調整するための調整アルゴリズムを実行するための手段と、
前記伝送要件の変更が発生したとき、前記伝送品質目標値を予想される方式で調整するように、対応する変更を前記伝送品質目標値に適用することによって、前記電力制御アルゴリズムをバイパスするための手段とを含んでいる移動局。
【請求項２８】 電力制御アルゴリズムを実行するための手段と、
前記伝送要件の変更が発生したとき、前記伝送電力を予想される方式で制御するように、対応する変更を前記伝送電力に適用する手段とをさらに含み、予想される方式での前記制御が、前記電力制御アルゴリズムをバイパスすることに対応する、請求項２７に記載の移動局。
【請求項２９】 前記伝送要件の変更が、非圧縮モードから圧縮モードヘの変更を含んでおり、前記対応する変更は、圧縮フレームの前に適用されるべき、前記伝送品質目標値の増加を含んでいる、請求項２７また２８に記載の移動局。
【請求項３０】 前記伝送要件の変更が、非圧縮モードから圧縮モードヘの変更を含んでおり、前記対応する変更は、圧縮フレームの伝送ギャップの後に適用されるべき、前記伝送品質目標値の増加を含んでいる、請求項２７から２９のいずれか一項に記載の移動局。
【請求項３１】 前記伝送要件の変更が、圧縮モードから非圧縮モードヘの変更を含んでおり、前記対応する変更は、圧縮フレームの後に適用されるべき、前記伝送品質目標値の低減を含んでいる、請求項２７から３０のいずれか一項に記載の移動局。
【請求項３２】 伝送要件の前記変更が、非圧縮モードから圧縮モードヘの変更を含んでおり、前記対応する変更は、圧縮フレームの後に続く１つまたは複数の回復フレームの間に適用されるべき、前記伝送品質目標値の増加を含んでいる、請求項２７から３１のいずれか一項に記載の移動局。
【請求項３３】 伝送要件の変更が発生したときに、伝送品質目標値を予想される方式で調整するように、電力制御アルゴリズムのために前記伝送品質目標値に適用される、対応する変更を移動局に通知するための手段を含んでいる、移動無線通信ネットワークエンティティ。
【請求項３４】 伝送要件の変更の発生の通知とともに、前記対応する変更を移動局に通知するための手段を含んでいる、請求項３３に記載の移動無線通信ネットワークエンティティ。
【請求項３５】  伝送要件の前記変更が、非圧縮モードから圧縮モードヘの変更、および／または圧縮モ一ドから非圧縮モードヘの変更を含んでおり、前記通知するための手段が、前記対応する変更を圧縮モードパラメータの通知とともに通知するための手段を含んでいる、請求項３３または３４に記載の移動無線通信ネットワークエンティティ。
【請求項３６】  伝送要件の前記変更が、非圧縮モードから圧縮モードヘの変更、および／または圧縮モードから非圧縮モードヘの変更を含んでおり、前記通知するための手段が、圧縮フレーム中のビットレート増加に起因しない、伝送要件の前記変更の部分に対応する前記対応する変更の構成要素を通知するための手段を含んでいる、請求項３３から３５のいずれか一項に記載の移動無線通信ネットワークエンティティ。
【請求項３７】  前記通知するための手段が、各圧縮フレームごとに前記通知を実行するための手段を含んでいる、請求項３３から３６のいずれか一項に記載の移動無線通信ネットワークエンティティ。
【請求項３８】 圧縮フレームが周期的に発生する場合、前記通知するための手般が、そのように定義された周期のすべての圧縮フレームについて、前記通知を1回限り実行するための手段を含んでいる、請求項３３から３６のいずれか一項に記載の移動無線通信ネットワークエンティティ。